(57)【特許請求の範囲】
【請求項１】
地震による災害発生時の被害をシミュレーションして予測し、予測した被害状況に対応して医療対策を決定する災害シミュレーションシステムにおいて、
予測された地表面の加速度分布を示す地震動情報、入力された病院又は消防署の施設能力データ及び施設位置データに基づき、病院又は消防署の施設ごとの被害状況及び施設としての機能確保の程度を予測して施設被害情報として出力する施設被害予測手段と、
入力された上記施設能力データ及び上記施設位置データ、並びに上記施設被害予測手段により出力された施設被害情報に基づき、病院ごとの被災者受入可能数を予測し、各病院への振り分け被災者数を決定すると共に、予測された道路被害情報、入力された上記施設能力データ及び上記施設位置データに基づき、被災者の輸送の後方医療体制を決定して、施設役割情報として出力する施設役割決定手段と、
上記施設被害予測手段により出力された施設被害情報、上記施設役割決定手段により出力された施設役割情報、入力された上記施設能力データ並びに入力された医師の勤務地及び自宅の位置を示す医師位置データに基づき、病院ごとの医師及び看護婦の人的リソースの必要数及び病院ごとの医療用資機材リソースの必要数を予測し、各病院への応援医師数及び搬入すべき医療用資機材を決定してリソース情報として出力するリソース決定手段とを備えたことを特徴とする災害シミュレーションシステム。
【発明の詳細な説明】
【０００１】
【発明の属する技術分野】
この発明は、災害発生時に被害状況を予測し、その被害状況に対応して被災者の医療対策を決定する災害シミュレーションシステムに関するものである。
【０００２】
【従来の技術】
従来の災害シミュレーションシステムは、例えば地震等の災害が発生した場合の、地震の震度や規模、地震が発生する時間帯、地震が発生する場所等の各条件を考慮し、道路等の被害、人的被害、建物等の物的被害を想定している。
【０００３】
【発明が解決しようとする課題】
しかし従来の災害シミュレーションシステムでは、被災者や医師の各病院への振り分けや追加搬入すべき医療用資機材まで考慮されていないので、実際の災害に対し、緊急かつ的確に対応可能なシミュレート結果を得ることが困難であるという課題があった。
【０００４】
この発明は上記のような課題を解決するためになされたもので、災害が発生した場合、緊急に対応可能な被災者や医師の各病院への振り分けや、追加搬入すべき医療用資機材を決定できる災害シミュレーションシステムを得ることを目的とする。
【０００５】
【課題を解決するための手段】
この発明に係る災害シミュレーションシステムは、地震による災害発生時の被害をシミュレーションして予測し、予測した被害状況に対応して医療対策を決定するものにおいて、予測された地表面の加速度分布を示す地震動情報、入力された病院又は消防署の施設能力データ及び施設位置データに基づき、病院又は消防署の施設ごとの被害状況及び施設としての機能確保の程度を予測して施設被害情報として出力する施設被害予測手段と、入力された上記施設能力データ及び上記施設位置データ、並びに上記施設被害予測手段により出力された施設被害情報に基づき、病院ごとの被災者受入可能数を予測し、各病院への振り分け被災者数を決定すると共に、予測された道路被害情報、入力された上記施設能力データ及び上記施設位置データに基づき、被災者の輸送の後方医療体制を決定して、施設役割情報として出力する施設役割決定手段と、上記施設被害予測手段により出力された施設被害情報、上記施設役割決定手段により出力された施設役割情報、入力された上記施設能力データ並びに入力された医師の勤務地及び自宅の位置を示す医師位置データに基づき、病院ごとの医師及び看護婦の人的リソースの必要数及び病院ごとの医療用資機材リソースの必要数を予測し、各病院への応援医師数及び搬入すべき医療用資機材を決定してリソース情報として出力するリソース決定手段とを備えたものである。
【０００８】
【発明の実施の形態】
以下、この発明の実施の一形態を説明する。
実施の形態１．
図１はこの発明の実施の形態１による災害シミュレーションシステムの構成図である。図において、１は被害予測シミュレータであり、震度情報２、地表加速度データ３及び被害予測用データ４を入力し地震の被害を予測する。そして、５は地震動情報、６は道路被害情報、７は人的被害情報、８は物理被害情報であり、それぞれ被害予測シミュレータ１により出力される。
【０００９】
また、９は所定地域における病院や消防署等の施設能力データ、１０は病院や消防署等の施設位置データ、１１は所定地域における医師位置データ、１２は地震動情報５、道路被害情報６、人的被害情報７及び物理被害情報８と、施設能力データ９、施設位置データ１０及び医師位置データ１１とを入力し、病院等の医療対策を提供する医療対策シミュレータである。
【００１０】
さらに、１３は施設被害情報、１４は施設役割情報、１５はリソース情報であり、それぞれ医療対策シミュレータ１２により出力される。
【００１１】
次に動作について説明する。
被害予測シミュレータ１は、地震の震源地や震源地周辺地域における震度に関する震度情報２と、地表加速度データ３と、被害予測用データ４を入力し、被害状況を予測する。被害予測用データ４には、地震が発生する時間帯、震源地及び周辺地域の場所に関する条件、すなわち地形、地質、建物、道路、鉄道、人口密度等の諸条件が考慮されている。
【００１２】
被害予測シミュレータ１は、シミュレーションの結果、地表面の加速度分布を示す地震動情報５、道路の物的・機能的被害を示す道路被害情報６、地区ごとの負傷者数、死者数等を示す人的被害情報７及び地区ごとの建物等の被害やその損傷程度を示す物理被害情報８を出力し、道路、建物等の被害及び被災者数等を自動推計して被害の全体像を予測する。
【００１３】
施設能力データ９は、所定地域における病院や消防署等の施設能力に関するデータ、すなわち病院の被災者の収容能力、医師数、ベット数、医療内容、保有している医療用資機材及び消防署の救急車数等を示している。また病院や消防署等の施設位置データ１０は、病院や消防署が存在する位置を地図情報として示している。そして医師位置データ１１は、医師の勤務地や自宅の位置を地図情報として示している。
【００１４】
医療対策シミュレータ１２は、被害予測シミュレータ１により出力された地震動情報５、道路被害情報６、人的被害情報７及び物理被害情報８と、施設能力データ９、施設位置データ１０及び医師位置データ１１の各データとを入力し、施設被害情報１３、施設役割情報１４及びリソース情報１５を出力する。
【００１５】
まず、医療対策シミュレータ１２は、地震動情報５、施設能力データ９、施設位置データ１０等の各情報をもとに、病院や消防署等の施設ごとの被害状況や施設としての機能確保の程度を予測し施設被害情報１３として出力する。
【００１６】
また、医療対策シミュレータ１２は、上記施設被害情報１３を考慮し、施設能力データ９、施設位置データ１０の各情報をもとに、病院ごとの被災者受入可能数を予測し、各病院への振り分け被災者数を決定する。また、道路被害情報６や施設能力データ９、施設位置データ１０等の各情報をもとに、救急車等による被災者の輸送等の後方医療体制を決定する。これらの決定された情報は施設役割情報１４として出力される。
【００１７】
さらに、医療対策シミュレータ１２は、上記施設被害情報１３や上記施設役割情報１４を考慮して、施設能力データ９、医師位置データ１１等の情報をもとに、病院ごとの医師や看護婦等の人的リソースの必要数、病院ごとの医療用資機材リソースの必要数等が予測され、各病院への応援医師数、搬入すべき医療用資機材が決定され、リソース情報として出力される。
【００１８】
以上のように、この実施の形態１によれば、被災者や応援医師の各病院への振り分けや搬入すべき医療用資機材を決定することができるという効果が得られる。
【００１９】
【発明の効果】
以上のように、この発明によれば、被災者や応援医師の各病院への振り分けや搬入すべき医療用資機材を決定することができ、災害が発生した場合に緊急に対応可能な災害シミュレーションシステムを得ることができる効果がある。
【図面の簡単な説明】
【図１】  この発明の実施の形態１による災害シミュレーションシステムの構成図である。
【符号の説明】
１  被害予測シミュレータ、６  道路被害情報、７  人的被害情報、８  物理被害情報、９  施設能力データ、１０  施設位置データ、１１  医師位置データ、１２  医療対策シミュレータ。
【図１】
0003874904.tif 000002